(57)【特許請求の範囲】
【請求項１】
光を射出する発光素子と当該発光素子が実装される基板とを有するとともに、被写体を照明する照明部と、
前記照明部と前記被写体との間に、前記発光素子に対向して設置され、前記照明部からの前記光を透過させる透過用部材と、
前記透過用部材に設けられ、前記被写体に対して前記照明部からの光を部分的に遮光するとともに、前記照明部からの光を部分的に反射する遮光部と、
前記基板と前記透過用部材との間に設置され、前記遮光部で反射した光を拡散させる拡散部材と、
前記被写体を撮像する撮像部と、
前記照明部と前記撮像部とが設けられる外装筐体と
を備えていることを特徴とする書画カメラ。
【請求項２】
請求項１に記載の書画カメラであって、
前記拡散部材は、前記発光素子の周囲の前記基板に設置されていることを特徴とする書画カメラ。
【請求項３】
請求項１に記載の書画カメラであって、
前記照明部と前記透過用部材との間には、前記発光素子と前記透過用部材とを取り囲むように設置される筒状部材を備え、
前記拡散部材は、前記透過用部材に対向するように前記筒状部材に設置されることを特徴とする書画カメラ。
【請求項４】
請求項１〜請求項３のいずれか一項に記載の書画カメラであって、
前記遮光部は、フィルムを粘着剤により前記透過用部材に貼着されることにより形成されることを特徴とする書画カメラ。
【請求項５】
請求項１〜請求項３のいずれか一項に記載の書画カメラであって、
前記遮光部は、前記透過用部材と一体に成形されることにより形成されることを特徴とする書画カメラ。
【請求項６】
請求項１〜請求項３のいずれか一項に記載の書画カメラであって、
前記遮光部は、前記透過用部材に嵌合することにより形成されることを特徴とする書画カメラ。
【請求項７】
請求項１〜請求項３のいずれか一項に記載の書画カメラであって、
前記遮光部は、前記透過用部材に印刷または塗装を用いて構成されていることを特徴とする書画カメラ。
【発明の詳細な説明】
【技術分野】
【０００１】
本発明は、書画カメラに関する。
【背景技術】
【０００２】
書画カメラは、被写体を撮像してパソコンやプロジェクター等にデータを送り、パソコンの画面に被写体の画像を表示させ、また、プロジェクターで被写体の画像を投写させる機器である。なお、被写体が写真やカタログ等光沢を有する場合、書画カメラの有する照明部が映り込んでホットスポットを生じさせることがある。また、書画カメラは、撮像部で撮像した画像データに対し、白色を正確に白く映し出すように補正する色調補正の機能、いわゆるホワイトバランス機能を備えているものがある。
【０００３】
特許文献１に開示される書画カメラ装置（書画カメラ）は、撮像装置に台形補正機能を有するデジタルカメラを用いており、撮像装置と照明装置とを所定の位置関係に保ちつつ複数個所から被写体を撮像し、真上から撮像した画像データ以外の画像データは正面から撮像した画像データに補正した後、各画像データを合成して一枚の画像データとすることが開示されている。この書画カメラにより、ホットスポットを有しない高画質にして美麗な静止画像データを得ることができるとしている。
【先行技術文献】
【特許文献】
【０００４】
【特許文献１】特開２００６−２７９８２８号公報
【発明の概要】
【発明が解決しようとする課題】
【０００５】
特許文献１の書画カメラは、被写体に対して複数枚の画像を撮像する必要があり、見たい画像を即座に取り込めないという課題がある。なお、ホワイトバランス機能を備えた書画カメラでは、ホットスポットが映り込んだ画像データに対して、ホットスポットの部分を基準として色調補正を行い、画像データとして取り込む。このため、補正された画像データが、プロジェクター等で投写された場合、ホワイトバランスが崩れた投写画像となる。また、全体（特に、被写体が矩形の場合には四隅）が暗くなってしまう等の課題がある。
従って、書画カメラ全体が大型化することなく、ホットスポットの発生を低減することにより、ホワイトバランスに優れた画像を撮像する書画カメラが要望されていた。
【課題を解決するための手段】
【０００６】
本発明は、上述した課題の少なくとも一部を解決するためになされたものであり、以下の形態または適用例として実現することが可能である。
【０００７】
［適用例１］本適用例に係る書画カメラは、被写体を照明する照明部と、照明部と被写体との間に設置され、照明部からの光を部分的に遮光する遮光部と、照明部の近傍に設置されて被写体を撮像する撮像部と、を備えていることを特徴とする。
【０００８】
このような書画カメラによれば、遮光部により、照明部の光を部分的に遮光することにより、照明部からの光が被写体に直接当たることを低減できるため、照明部が映り込むことによるホットスポットの発生を低減することができる。これにより、ホワイトバランスに優れた画像を撮像する書画カメラが実現できる。
【０００９】
［適用例２］上記適用例に係る書画カメラにおいて、照明部と被写体との間に設置され、照明部からの光を透過させる透過用部材を備え、遮光部は、透過用部材に設置されていることが好ましい。
【００１０】
このような書画カメラによれば、透過用部材に遮光部が設置されていることにより、遮光部を大型化せずに構成することができる。
【００１１】
［適用例３］上記適用例に係る書画カメラにおいて、照明部は、光を射出する発光素子と発光素子が実装される基板とを備え、遮光部は、発光素子に相対して設置されていることが好ましい。
【００１２】
このような書画カメラによれば、遮光部は、発光素子に相対して設置されていることにより、発光素子からの光が被写体に直接当たることを低減できるため、ホットスポットの発生を低減することができる。
【００１３】
［適用例４］上記適用例に係る書画カメラにおいて、発光素子の周囲の基板面には、遮光部で反射した光を拡散させる拡散部材が設置されていることが好ましい。
【００１４】
照明部から射出された光が遮光部で反射された場合、この反射光が基板面に入射することにより、基板面の色（例えば、基板面を覆うレジストの緑色）を含んだ光が被写体に向けて反射され、被写体が基板の色を含んで撮像部に撮像されることがある。しかし、上記の書画カメラによれば、発光素子の周囲の基板面に、遮光部で反射した光を拡散させる拡散部材が設置されていることにより、被写体が基板の色を含んだ状態で撮像されることを防止することができ、被写体をより自然な色で撮像することができる。
【００１５】
［適用例５］上記適用例に係る書画カメラにおいて、照明部と透過用部材との間には、発光素子と透過用部材とを取り囲むように設置される筒状部材を備えていることが好ましい。
【００１６】
このような書画カメラによれば、遮光部による反射光は、筒状部材の内面で反射されることにより、基板面に反射光が当らない。これにより、基板面の色を含んだ光が被写体に向けて反射されることを防止することで、被写体が基板の色を含んで撮像部に撮像されることを防止することができる。
【００１７】
［適用例６］上記適用例に係る書画カメラにおいて、筒状部材の内面は、発光素子からの光、または遮光部で反射した光を拡散させることが好ましい。
【００１８】
このような書画カメラによれば、発光素子からの光、または遮光部で反射した光を筒状部材の内面で拡散させる。この拡散された光により、被写体を照明することができ、ホットスポットの発生を更に抑制することができる。
【００１９】
［適用例７］上記適用例に係る書画カメラにおいて、遮光部は、印刷、塗装、貼着、および成形の少なくともいずれかを用いて構成されていることが好ましい。
【００２０】
このような書画カメラによれば、遮光部を簡易な方法で構成することができる。
【図面の簡単な説明】
【００２１】
【図１】第１実施形態に係る書画カメラを示す図。
【図２】照明部および撮像部を示す概略断面図。
【図３】第２実施形態に係る照明部を示す概略断面図。
【図４】第３実施形態に係る照明部を示す概略断面図。
【発明を実施するための形態】
【００２２】
以下、実施形態を図面に基づいて説明する。
（第１実施形態）
【００２３】
図１は、第１実施形態に係る書画カメラ１００を示す図であり、図１（ａ）は、書画カメラ１００を上側から見た斜視図であり、図１（ｂ）は、第１アーム部１１０を底面側から見た平面図である。図１を参照して、本実施形態の書画カメラ１００の概略構成を説明する。
【００２４】
書画カメラ１００は、図１（ａ）に示すように、中央部に撮像部１５０を有する第１アーム部１１０と、第１アーム部１１０を支持する第２アーム部１２０と、第２アーム部１２０を支持する第３アーム部１３０とを備えている。また、書画カメラ１００は、操作部１４５を有する本体１４０を備えている。
【００２５】
また、書画カメラ１００は、第１アーム部１１０と第２アーム部１２０とを連結する連結部１１５を備え、第１アーム部１１０は、第２アーム部１２０に対して回動可能に連結される。また、書画カメラ１００は、第２アーム部１２０と第３アーム部１３０とを連結する連結部１２５を備え、第２アーム部１２０は、第３アーム部１３０に対して回動可能に連結される。同様に、書画カメラ１００は、第３アーム部１３０と本体１４０とを連結する連結部１３５を備え、第３アーム部１３０は、本体１４０に対して回動可能に連結される。なお、連結部１１５，１２５，１３５は、それぞれアーム部を回転した場合、その回転位置で固定可能に構成されている。
【００２６】
本体１４０は、図示省略するが、プロジェクター、パソコン、その他の電子機器に書画カメラ１００を接続するためのＵＳＢ（Universal Serial Bus）コネクター１４１を有している。また、操作部１４５には、詳細は略すが、書画カメラスイッチ、オートフォーカススイッチ、ズームスイッチ（ズームインスイッチ、ズームアウトスイッチ）、ＬＥＤ（Light Emitting Diode）光源スイッチ等が配設されている。
【００２７】
第１アーム部１１０は、図１（ｂ）に示すように、撮像部１５０と照明部１６０とを備えている。カメラとしての撮像部１５０は、例えば５００万画素のＣＭＯＳ（Complementary Metal Oxide Semiconductor）またはＣＣＤ（Charge Coupled Device）等の撮像素子１５１およびレンズ１５２を有する。なお、撮像部１５０は、照明部１６０の近傍に設置されている。照明部１６０は、撮像部１５０の両側近傍に一対設置される。照明部１６０は、発光素子としてのＬＥＤ光源１６１と、ＬＥＤ光源１６１が実装される基板１６２とを有する。
【００２８】
また、書画カメラ１００は、オートフォーカス機能およびズーム機能を有しており、操作部１４５の電源スイッチにより電源が入り、オートフォーカススイッチによりオートフォーカスされ、ズームスイッチ（ズームインスイッチ、ズームアウトスイッチ）によりズームインまたはズームアウトされるよう構成されている。
【００２９】
書画カメラ１００の使用方法の一例を簡単に説明する。
最初に、書画カメラ１００を机上に置き、電源ケーブル（図示省略）を用いて商用コンセントと接続する。次に、ＵＳＢケーブル（図示省略）を用いて、プロジェクター（図示省略）に書画カメラ１００を接続する。次に、プロジェクターの電源を入れる。次に、書画カメラ１００の電源スイッチで、書画カメラ１００の電源を入れる。
【００３０】
次に、被写体としての書画１０１を、撮像部１５０に対向する机上に載置する。次に、プロジェクターを介してスクリーン（図示省略）に表示されている書画１０１の画像を確認しながら、書画１０１を正しい位置、角度に配置する。
【００３１】
その際、必要に応じて、オートフォーカススイッチ、ズームスイッチ（ズームインスイッチまたはズームアウトスイッチ）を用いる。これによって、スクリーン上に所望の書画１０１が正しく表示されるようになる。その後、必要に応じて被写体を換えながら、書画カメラ１００の使用を継続する。以上が書画カメラ１００の基本的な使用方法となる。
【００３２】
図２は、照明部１６０および撮像部１５０を示す概略断面図である。図２を参照して照明部１６０周りの構成と動作を説明する。
【００３３】
第１アーム部１１０の照明部１６０に相対する外装筺体１１１の部分には、照明部１６０からの光を透過させる透過用部材としての透明な円板上のカバーガラス１７０が設置されている。カバーガラス１７０の外面の中心部には、ＬＥＤ光源１６１に相対して、遮光部としてのシール部材１８０が設置（貼着）されている。シール部材１８０は、本実施形態では、円板状で、粘着剤付きの白色系のプラスチックフィルムで形成されている。
【００３４】
照明部１６０は、上述したように、ＬＥＤ光源１６１と、ＬＥＤ光源１６１が実装された基板１６２とで構成されている。そして、ＬＥＤ光源１６１の周囲で、カバーガラス１７０に対向する基板１６２の面には、シール部材１８０で反射した光を拡散させる拡散部材１９０が設置されている。拡散部材１９０は、本実施形態では、白色系で光を拡散する印刷を基板１６２の面上に施すことにより形成されている。
【００３５】
なお、詳細には、拡散部材１９０を設置する前の、基板１６２の面の色は、レジスト（図示省略）の緑色となっている。本実施形態では、このレジストの面に白色系で光を拡散させる印刷を行うことで拡散部材１９０を形成している。
【００３６】
次に、ＬＥＤ光源１６１から射出された光の動作に関して説明する。
図２に示すように、ＬＥＤ光源１６１から射出された光は、書画１０１の方向（カバーガラス１７０の方向）に進み、カバーガラス１７０の外面に設置されたシール部材１８０により、反射される。
【００３７】
なお、従来は、ＬＥＤ光源１６１から射出された光は、図２に、二点鎖線Ａで示すように、直接、書画１０１を照明することで、光の当たった領域にホットスポットが発生していた。また、撮像部１５０で書画１０１を撮像した場合、光るＬＥＤ光源１６１がホットスポットとして映り込んでいた。
【００３８】
なお、シール部材１８０により反射された光は、基板１６２の面に設置された拡散部材１９０により拡散され、カバーガラス１７０の方向に反射される。この拡散して反射された光（図２に破線Ｂで示す）が、カバーガラス１７０を透過して書画１０１を照明する。そして、このように照明された書画１０１を撮像部１５０が撮像する。
【００３９】
なお、シール部材１８０は、カバーガラス１７０の外面全面には貼着されていない。そのため、シール部材１８０は、ＬＥＤ光源１６１からの光を部分的に遮光する。従って、図２に実線Ｃで示すように、ＬＥＤ光源１６１から射出された光がシール部材１８０の外側を透過して書画１０１を照明する場合もある。しかし、ＬＥＤ光源１６１からの直接的な光は大部分遮光することができるため、従来に比べてホットスポットの発生を低減できる。
【００４０】
従って、撮像部１５０により書画１０１を撮像した場合、ＬＥＤ光源１６１がホットスポットとして映り込むことが低減できる。そのため、撮像部１５０は、適正な色調補正が行われ、ホワイトバランスに優れた画像を撮像することができる。
【００４１】
上述した第１実施形態によれば、以下の効果が得られる。
本実施形態の書画カメラ１００によれば、遮光部としてのシール部材１８０により、ＬＥＤ光源１６１の光を部分的に遮光することにより、ＬＥＤ光源１６１からの光が書画１０１に直接当たることを低減できるため、ＬＥＤ光源１６１が映り込むホットスポットの発生を低減することができる。これにより、ホワイトバランスに優れた画像を撮像する書画カメラ１００が実現できる。
【００４２】
本実施形態の書画カメラ１００によれば、遮光部としてのシール部材１８０は、カバーガラス１７０に設置されていることにより、遮光部を大型化せずに構成することができる。
【００４３】
本実施形態の書画カメラ１００によれば、シール部材１８０は、ＬＥＤ光源１６１に相対して設置されていることにより、ＬＥＤ光源１６１からの光が書画１０１に直接当たることを低減できるため、ホットスポットの発生を低減することができる。
【００４４】
本実施形態の書画カメラ１００によれば、ＬＥＤ光源１６１の周囲の基板１６２の面には、シール部材１８０で反射した光を拡散させる拡散部材１９０が設置されている。これにより、シール部材１８０で反射された光が拡散部材１９０で拡散されるため、基板１６２の色が含まれた状態で書画１０１が撮像されることを防止することができ、書画１０１をより自然な色で撮像することができる。
【００４５】
本実施形態の書画カメラ１００によれば、ＬＥＤ光源１６１の周囲の基板１６２の面には、シール部材１８０で反射した光を拡散させる拡散部材１９０が設置されている。これにより、シール部材１８０で反射された光が拡散部材１９０で拡散されるため、拡散された光により、ホットスポットが低減され、一様な明るさで、書画１０１を照明することができる。従って、このように照明された書画１０１を撮像部１５０で撮像した場合、書画１０１が矩形状を有する場合には、書画１０１の四隅部分も中央部分と同様の明るさに補正され、全体が明るく表示される。
【００４６】
本実施形態の書画カメラ１００によれば、遮光部としてのシール部材１８０は、白色系のプラスチックフィルムで形成され、カバーガラス１７０に貼着されて設置されている。これにより、遮光部を簡易な構成で実現することができる。
【００４７】
本実施形態の書画カメラ１００によれば、シール部材１８０および拡散部材１９０は、白色系の材料で構成されている。これにより、書画１０１を照明する光の光量を、黒色系の材料で構成される場合に比較して、多くすることができ、書画１０１を明るく照明することができる。
（第２実施形態）
【００４８】
図３は、第２実施形態に係る照明部１６０を示す概略断面図である。図３を参照して照明部１６０周りの構成と動作を説明する。
【００４９】
本実施形態の照明部１６０周りの構成は、第１実施形態と比較して、基板１６２の面に設置した拡散部材１９０に替えて、筒状部材２００を用いることが異なる点である。その他の構成は、第１実施形態と同様である。第１実施形態と同様の構成には、同様の符号を付記している。
【００５０】
本実施形態の筒状部材２００は、ＬＥＤ光源１６１とカバーガラス１７０とを取り囲むように設置される筒状の部材である。本実施形態では、筒状部材２００は、概ね、円錐形状で、側面が台形となる。そして、筒状部材２００の内面２０１は、本実施形態では、白色系で光を拡散する印刷が施されている。
【００５１】
次に、ＬＥＤ光源１６１から射出された光の動作に関して説明する。
図３に示すように、ＬＥＤ光源１６１から射出された光は、カバーガラス１７０の方向に進み、カバーガラス１７０の外面に設置されたシール部材１８０により、反射される。シール部材１８０により反射された光は、筒状部材２００の内面２０１で拡散され、カバーガラス１７０の方向に反射される。この拡散して反射された光（図３に破線Ｄで示す）が、カバーガラス１７０を透過して書画１０１を照明する。そして、このように照明された書画１０１を撮像部１５０が撮像する。
【００５２】
なお、ＬＥＤ光源１６１から射出された光の一部は、直接、筒状部材２００の内面２０１に入射して拡散される。また、射出された光の一部は、第１実施形態と同様に、実線Ｃで示すように、シール部材１８０の外側を透過して書画１０１を照明する。
【００５３】
上述した第２実施形態によれば、第１実施形態での効果以外に、以下の効果が得られる。
本実施形態の書画カメラ１００によれば、ＬＥＤ光源１６１とカバーガラス１７０とを取り囲むように設置される筒状部材２００が設置されている。これにより、シール部材１８０で反射された光は、筒状部材２００で拡散されるため、基板１６２の色が含まれた状態で書画１０１が撮像されることを防止することができ、書画１０１をより自然な色で撮像することができる。
【００５４】
本実施形態の書画カメラ１００によれば、ＬＥＤ光源１６１からの光、またはシール部材１８０で反射した光を筒状部材２００の内面２０１で拡散させる。この拡散された光により、書画１０１を照明することができ、ホットスポットの発生を抑制することができる。
（第３実施形態）
【００５５】
図４は、第３実施形態に係る照明部１６０を示す概略断面図である。図４を参照して照明部１６０周りの構成と動作を説明する。
【００５６】
本実施形態の照明部１６０周りの構成は、第１実施形態と比較して、遮光部としてのシール部材１８０に替えて、カバーガラス１７０の内部に遮光領域１７５を形成したことが異なる点である。その他の構成は、第１実施形態と同様である。第１実施形態と同様の構成には、同様の符号を付記している。
【００５７】
本実施形態のカバーガラス１７０は、透明な合成樹脂材料を射出成形して形成されている。そして、本実施形態の遮光領域１７５は、カバーガラス１７０を成形する際に、併せて、遮光性を有する白色系の合成樹脂材料を用いて成形する、いわゆる二色成形により形成されている。遮光領域１７５は、ＬＥＤ光源１６１に相対して形成され、詳細には、カバーガラス１７０の中心部を中心に円板状に形成されている。そして、遮光領域１７５は、ＬＥＤ光源１６１からの光を遮光する。
【００５８】
次に、ＬＥＤ光源１６１から射出された光の動作に関して説明する。
図４に示すように、ＬＥＤ光源１６１から射出された光は、カバーガラス１７０方向に進み、カバーガラス１７０の遮光領域１７５により、反射される。遮光領域１７５により反射された光は、拡散部材１９０により拡散され、カバーガラス１７０の方向に反射される。この拡散して反射された光（図４に破線Ｅで示す）が、カバーガラス１７０を透過して書画１０１を照明する。そして、このように照明された書画１０１を撮像部１５０が撮像する。
【００５９】
なお、ＬＥＤ光源１６１から射出された一部の光は、第１実施形態と同様に、実線Ｃで示すように、シール部材１８０の外側を透過して書画１０１を照明する。
【００６０】
上述した第３実施形態によれば、以下の効果が得られる。
本実施形態の書画カメラ１００によれば、遮光部として、カバーガラス１７０に形成された遮光領域１７５により、ＬＥＤ光源１６１の光を部分的に遮光することにより、ＬＥＤ光源１６１からの光が書画１０１に直接当たることを低減できるため、ＬＥＤ光源１６１が映り込むホットスポットの発生を低減することができる。これにより、ホワイトバランスに優れた画像を撮像する書画カメラ１００が実現できる。
【００６１】
本実施形態の書画カメラ１００によれば、遮光部としての遮光領域１７５は、カバーガラス１７０に一体で形成されていることにより、遮光部を大型化せずに構成することができる。
【００６２】
本実施形態の書画カメラ１００によれば、遮光領域１７５は、ＬＥＤ光源１６１に相対して設置されていることにより、ＬＥＤ光源１６１からの光が書画１０１に直接当たることを低減できるため、ホットスポットの発生を低減することができる。
【００６３】
本実施形態の書画カメラ１００によれば、カバーガラス１７０に遮光領域１７５を有し、基板１６２の面に拡散部材１９０が設置されている。これにより、遮光領域１７５で反射された光は、拡散部材１９０で拡散されるため、基板１６２の色が含まれた状態で書画１０１が撮像されることを防止することができ、書画１０１をより自然な色で撮像することができる。
【００６４】
本実施形態の書画カメラ１００によれば、遮光領域１７５で反射した光を拡散部材１９０で拡散させる。この拡散された光により、書画１０１を照明することができ、ホットスポットの発生を抑制することができる。また、一様な明るさで、書画１０１を照明することができる。従って、このように照明された書画１０１を撮像部１５０で撮像した場合、書画１０１が矩形状を有する場合には、書画１０１の四隅部分も中央部分と同様の明るさに補正され、全体が明るく表示される。
【００６５】
本実施形態の書画カメラ１００によれば、遮光部としての遮光領域１７５は、白色系の合成樹脂材料を用いて二色成形されて、カバーガラス１７０と一体に成形されている。これにより、遮光部を簡易な構成で実現することができる。
【００６６】
本実施形態の書画カメラ１００によれば、遮光領域１７５および拡散部材１９０は、白色系の材料で構成されている。これにより、書画１０１を照明する光の光量を、黒色系の材料で構成される場合に比較して、多くすることができ、書画１０１を明るく照明することができる。
【００６７】
なお、上述した実施形態は、その要旨を逸脱しない範囲において種々の変更や改良等を加えて実施することが可能である。変形例を以下に述べる。
【００６８】
前記第１実施形態の書画カメラ１００において、遮光部としてのシール部材１８０と、シール部材１８０で反射した光を拡散させる拡散部材１９０を設置している。しかし、これに限られず、遮光部のみを設置するだけでもよい。この場合、遮光部は、ＬＥＤ光源１６１から射出された光を反射させ難くする部材で構成することがよく、基板１６２の面の色を含んだ光の反射を低減させる。これは、第２、第３実施形態においても同様である。
【００６９】
前記第１実施形態の書画カメラ１００において、遮光部としてのシール部材１８０は、遮光率が１００％の部材を用いている。しかし、これに限られず、遮光率が１００％未満のシール部材を用いてもよい。これは、第２実施形態のシール部材１８０においても同様である。
【００７０】
前記第３実施形態の書画カメラ１００において、遮光部としての遮光領域１７５は、遮光率が１００％の部材を用いている。しかし、これに限られず、遮光率が１００％未満の樹脂材料を用いて形成されてもよい。
【００７１】
前記第１実施形態の書画カメラ１００において、遮光部としてのシール部材１８０は、カバーガラス１７０の外面に設置されているが、内面に設置されていてもよい。これは、第２実施形態のシール部材１８０においても同様である。
【００７２】
前記第１実施形態の書画カメラ１００において、遮光部としてのシール部材１８０は、粘着剤付きの白色系のプラスチックフィルムで形成されている。しかし、これに限られず、遮光部は、カバーガラス１７０の外面または内面に、白色系の印刷や塗装により形成してもよい。また、白色系でなくてもよい。これは、第２実施形態のシール部材１８０においても同様である。
【００７３】
前記第３実施形態の書画カメラ１００において、遮光部としての遮光領域１７５は、二色成形により、カバーガラス１７０と一体に形成されている。しかし、これに限られず、カバーガラス１７０とは別体に形成され、後で、遮光領域１７５をカバーガラス１７０の所定の部分に嵌合することでもよい。
【００７４】
前記第３実施形態の書画カメラ１００において、遮光部としての遮光領域１７５は、遮光性を有し白色系の合成樹脂材料を用いて成形されている。しかし、これに限られず、白色系ではない合成樹脂材料を用いて成形されてもよい。
【００７５】
前記第３実施形態の書画カメラ１００において、遮光領域１７５で反射された光は、拡散部材１９０で拡散される。しかし、これに限られず、拡散部材１９０に替えて第２実施形態で用いた筒状部材２００を用いて、遮光領域１７５で反射された光を筒状部材２００で拡散させることでもよい。
【００７６】
前記第１実施形態の書画カメラ１００において、遮光部としてのシール部材１８０は、カバーガラス１７０に設置されている。しかし、これに限られず、遮光部は、カバーガラス１７０に貼付や印刷等されずに、別体で構成および設置されていてもよい。この場合、遮光部は、ＬＥＤ光源１６１とカバーガラス１７０との間、または、カバーガラス１７０と被写体（書画１０１）との間に設置されることでよい。
【００７７】
前記第１実施形態の書画カメラ１００は、照明部１６０を構成する発光素子としてＬＥＤ光源１６１を採用している。しかし、これに限定されず、有機ＥＬ（Electro Luminescence）素子、シリコン発光素子等の各種固体発光素子を採用してもよい。
【００７８】
前記第１実施形態では、書画カメラ１００をプロジェクターに接続する例を示した。しかし、これに限られず、例えば、書画カメラ１００をパソコンに接続するようにしてもよい。
【００７９】
前記第１実施形態の書画カメラ１００は、ＵＳＢケーブルを用いてプロジェクターに接続する例を示した。しかし、接続方法はこれに限られず、例えば、書画カメラ１００を、ビデオコンポジットケーブル、ＤＶＩケーブル、ＨＤＭＩケーブル、ネットワークケーブル、無線インターフェース等を用いて、プロジェクター若しくはパソコンまたはネットワークに接続してもよい。
【符号の説明】
【００８０】
１００…書画カメラ、１０１…書画、１５０…撮像部、１５１…撮像素子、１６０…照明部、１６１…ＬＥＤ光源、１６２…基板、１７０…カバーガラス、１７５…遮光領域、１８０…シール部材、１９０…拡散部材、２００…筒状部材、２０１…内面。
【図１】
0005982928.tif 000002
【図２】
0005982928.tif 000003
【図３】
0005982928.tif 000004
【図４】
0005982928.tif 000005